(57)【要約】【課題】自分好みの焼き具合を実現可能な加熱調理器を提供する。【解決手段】  被加熱物を加熱する加熱手段２０１乃至２０４と、加熱手段への通電を制御する制御回路２０５乃至２０８と、被加熱物の調理内容を入力する入力手段からの入力信号に基づいて制御回路の制御を行う制御手段２１２と、を備えた加熱調理器において、調理パラメータを格納するレシピ情報格納手段２２２と、追加加熱の情報に基づいて調理パラメータを変更する追加加熱手段２２０と、調理終了後に入力された被加熱物の評価情報に基づいて調理パラメータを変更する評価情報処理手段２１２と、を備える。【選択図】図２
2019219105.tif 000002
【特許請求の範囲】
【請求項１】
被加熱物を加熱する加熱手段と、
前記加熱手段への通電を制御する制御回路と、
前記被加熱物の調理内容を入力する入力手段からの入力信号に基づいて前記制御回路の制御を行う制御手段と、を備えた加熱調理器において、
調理パラメータを格納するレシピ情報格納手段と、
追加加熱の情報に基づいて前記調理パラメータを変更する追加加熱手段と、
調理終了後に入力された前記被加熱物の評価情報に基づいて前記調理パラメータを変更する評価情報処理手段と、を備えたことを特徴とする加熱調理器。
【請求項２】
請求項１に記載の加熱調理器において、
前記加熱調理器の外部と通信するための通信手段を備え、
前記評価情報処理手段は、前記通信手段と接続可能な通信端末から入力された前記評価情報に基づいて前記調理パラメータを変更する、ことを特徴とする加熱調理器。
【請求項３】
請求項１または２に記載の加熱調理器において、
前記調理パラメータは、前記調理パラメータが変更される前に行われた調理のレシピとは別のレシピを調理する際に適用可能であり、
前記レシピと前記別のレシピとは、共通の調理工程を含む、ことを特徴とする加熱調理器。
【請求項４】
被加熱物を加熱する加熱手段と、前記加熱手段への通電を制御する制御回路と、前記被加熱物の調理内容を入力する入力手段からの入力信号に基づいて前記制御回路の制御を行う制御手段と、を備えた加熱調理器と、
調理パラメータを格納するレシピ情報格納手段と、
追加加熱の情報に基づいて前記調理パラメータを変更する追加加熱手段と、
調理終了後に入力された前記被加熱物の評価情報に基づいて前記調理パラメータを変更する評価情報処理手段と、を備えたことを特徴とする加熱調理器の調理システム。
【請求項５】
請求項４に記載の加熱調理器の調理システムにおいて、
一の調理のレシピに関する複数の前記調理パラメータが格納されたサーバを備え、
前記複数の調理パラメータは、前記一の調理レシピに基づいて複数のユーザが加熱調理器を動作させることによって変更された調理パラメータであって、
複数の前記調理パラメータから選択された一の調理パラメータに基づいて、前記加熱手段への通電を制御する、ことを特徴とする加熱調理器の調理システム。
【発明の詳細な説明】
【技術分野】
【０００１】
本発明は、加熱調理器および加熱調理器の調理システムに関するものである。
【背景技術】
【０００２】
特許文献１に示す加熱調理器では、オーブンで加熱した後、実際の調理物の出来具合（焼き色等）を見て加熱不足（焼き色不足）であると判断したとき、更にオーブン加熱で焼き色つけるように、設定温度を高くして加熱できる加熱調理器が開示されている。
【０００３】
特許文献２には、自動メニュー調理器に搭載された評価入力手段で炊飯後に食して出来上がりの評価を入力することで、記憶手段に記憶されたパラメータを変更して、評価した以後の炊飯の出来上がりをユーザが満足するように調整する技術が開示されている。
【先行技術文献】
【特許文献】
【０００４】
【特許文献１】特開平１０−３３９４４４号公報
【特許文献２】特開２０００−３４２４４４号公報
【発明の概要】
【発明が解決しようとする課題】
【０００５】
特許文献１に記載された加熱調理器においては、調理物をオーブン加熱した後に、調理物の表面の出来具合（焼き色）を見て加熱状態の不足の場合のみに追加加熱で設定温度を高く設定し加熱を行い、使用者の好みに応じた仕上がりにする加熱調理器である。
【０００６】
特許文献２に記載された技術においては、食すことで出来上がりの評価行い、その評価結果を入力することで、記憶手段に記憶されたパラメータを変更して、評価した以後の炊飯の出来上がりをユーザが満足するように調整する技術である。
【０００７】
一般に、オーブンで加熱した調理物を美味しく食べるためには、見た目と、中身の焼け具合の両方が大事である。
【０００８】
例えば、秋刀魚を焼いたときに、中まで火が通っていたとしても、表面に焦げ目が無い状態では、見た目は美味しく見えなく、食べる気さえ無くなるものである。また、焼き上がったアップルパイなど見た目は良く見えても、パイ生地にふくらみが足りず目が詰まっているような状態では食感が良くないものである。
【０００９】
見た目の表面の焼き具合の調整には主に火力の調整が必要になり、中身の焼き具合の調整には主に加熱時間の調整が必要となる。
【課題を解決するための手段】
【００１０】
本発明は、上記の課題を解決するためになされたものであり、被加熱物を加熱する加熱手段と、前記加熱手段への通電を制御する制御回路と、前記被加熱物の調理内容を入力する入力手段からの入力信号に基づいて前記制御回路の制御を行う制御手段と、を備えた加熱調理器において、調理パラメータを格納するレシピ情報格納手段と、追加加熱の情報に基づいて前記調理パラメータを変更する追加加熱手段と、調理終了後に入力された前記被加熱物の評価情報に基づいて前記調理パラメータを変更する評価情報処理手段と、を備えたものである。
【発明の効果】
【００１１】
本発明によれば、自分好みの焼き具合を実現可能である。上記した以外の課題、構成及び効果は以下の実施形態の説明により明らかにされる。
【図面の簡単な説明】
【００１２】
【図１】本発明の実施例に係る加熱調理を通信端末で操作するシステムの外観斜視図である。
【図２】本発明の実施例に係る加熱調理と通信端末とのシステムに係る制御ブロック図である。
【図３】本発明の実施例に係る使用者、通信端末、加熱調理器の関係を示すシーケンス図である。
【図４】本発明の実施例に係る加熱調理器の調理パラメータを変更する動作を示すフローチャートである。
【図５】本発明の実施例に係る加熱調理の調理パラメータの共有を示すシステム構成図である。
【発明を実施するための形態】
【００１３】
以下、図面等を用いて、本発明の実施例について説明する。以下の説明は本発明の内容の具体例を示すものであり、本発明がこれらの説明に限定されるものではない。本明細書に開示される技術的思想の範囲内において当業者による様々な変更および修正が可能であり、下記の実施例の構成を適宜組み合わせることも当初から予定している。また、本発明を説明するための全図において、同一の機能を有するものは、同一の符号を付け、その繰り返しの説明は省略する場合がある。
【００１４】
図１は本発明の実施例に係る加熱調理を通信端末で操作するシステムの外観斜視図である。図２は、本発明の実施例に係る加熱調理と通信端末とのシステムに係る制御ブロック図である。
【００１５】
なお、本実施例では、加熱調理器の一例として誘導加熱調理器のオーブン加熱手段１０７を例に説明する。またオーブン加熱手段の他に、グリル加熱手段、トースター加熱手段でも良く、加熱源もヒータに限らずガスでも適用できる。
【００１６】
図１において、誘導加熱調理器１００の本体１０１をシステムキッチン１１５に組み込んだ状態を示す。
【００１７】
本体１０１の上面には、耐熱性の高い素材、例えば、結晶化ガラス等のトッププレート１０２が載置されている。トッププレート１０２の周囲の端部は、トッププレート枠１０３で覆われている。
【００１８】
また、トッププレート枠１０３は本体１０１にも固定されていて、本体１０１をシステムキッチン１１５に組み込むときには、トッププレート枠１０３で本体１０１を吊り下げて設置する。
【００１９】
トッププレート１０２の上面には、鍋位置表示部１０４、１０５および１０６が設けられており、鍋等の被加熱物の載置場所を表示している。
【００２０】
鍋位置表示部１０４、１０５および１０６の下部の本体１０１内には、加熱コイル２０１、２０２、２０３（図２）が設けられている。加熱手段としての加熱コイル２０１、２０２、２０３には、高周波電流を印加して高周波磁界を発生させ、トッププレート１０２に載置された鍋等の被加熱物を誘導加熱する。
【００２１】
オーブン加熱手段１０７は、加熱コイル２０１、２０２、２０３の下方であって本体１０１の左側または右側（本実施例では左側）の前面部に設けられている。オーブン加熱手段１０７は、矩形状の箱体で構成されており、オーブン加熱手段１０７の内部に置かれた被加熱物を加熱するヒータ２０４等の加熱手段を有している。
【００２２】
トッププレート枠１０３の後枠部には開口した吸気部１０８が設けられており、インバータ回路２０５、２０６、２０７、ヒータ制御回路２０８、加熱コイル２０１、２０２、２０３等を冷却する空気を吸気する。
【００２３】
また、トッププレート枠１０３の後枠部には開口した排気部１０９が設けられており、インバータ回路２０５、２０６、２０７、ヒータ制御回路２０８や加熱コイル２０１、２０２、２０３等を冷却した空気やオーブン加熱手段１０７からの排煙を排気する。そして、吸気部１０８及び排気部１０９は、トッププレート１０２上にこぼした液体が開口部から吸気部１０８や排気部１０９内に落下しても本体１０１内部のインバータ回路２０５等に浸入しない構成となっている。
【００２４】
本体１０１の左側または右側（本実施例では右側）の本体１０１前面部には、開閉収納式の前面操作部１１０が設けられている。この前面操作部１１０は主にオーブン加熱手段１０７を操作するものであり、オーブン加熱手段１０７の隣に位置するように設けられている。
【００２５】
また、前面操作部１１０は、閉じているときに上部を本体１０１側に押すことによりロック装置（図示せず）が解除され、前面操作部１１０の上部がバネにより前面側にゆっくりと回動して飛び飛出し、逆に閉じるときは上部を本体１０１側に向かって押し込むことにより本体１０１に収納され、ロック装置により保持される構成となっている。なお、図１は前面操作部１１０が開いている状態を示す。
【００２６】
前面操作部１１０には入力手段となる前面操作キー１１０ａが設けられ、オーブン加熱手段１０７のヒータ２０４への電力の入切や、調理物の調理方法をメニュー等から入力するものである。前面操作キー１１０ａで入力した入力情報は表示手段である前面表示部１１０ｂで使用者に判り易く表示される。
【００２７】
前面操作部１１０の上方には、誘導加熱調理器の本体１０１の主電源の入切を行う電源切／入スイッチ１１１と、後述する通信手段１１４が設けられている。
【００２８】
本体１０の上面の手前側には、上面操作部１１２が設けられており、夫々の加熱コイル２０１、２０２、２０３の出力の設定や調理物の調理方法をメニュー等から入力する上面操作キー１１２ａから構成されている。また、上面操作部１１２の後方には、上面操作キー１１２ａで入力した入力情報を表示する表示手段である上面表示部１１３が設けられている。
【００２９】
本実施例の誘導加熱調理器の本体１０１は、スマートフォン、タブレットといった通信端末１２０と無線通信を行う通信手段１１４を備えている。通信端末１２０との通信は、ブルートゥース（登録商標）等、数ｍから数十ｍ程度の距離で無線通信を行う近距離無線通信規格を利用する。通信端末１２０は、無線ルータ１３０との間でＷｉＦｉ（登録商標）等の無線ＬＡＮによる無線通信を行う。なお、通信手段１１４と通信端末１２０間の通信はＷｉＦｉ（登録商標）等の無線ＬＡＮによる無線通信でも良い。
【００３０】
無線ＬＡＮはインターネット等のネットワーク１４０に接続されている。そして通信端末１２０は、無線ＬＡＮ、ネットワーク１４０を介して、サーバ１５０にアクセスし、誘導加熱調理器１００の調理に関係するアプリケーションソフトウェアをサーバ１５０からダウンロードしてインストールする。
【００３１】
図２に示すように、本体１０１には、商用電源２１０のラインにはフィルタ回路を搭載したフィルタ手段２１１が設けられ、インバータ回路（２０５，２０６，２０７）より生じる雑音ノイズを抑制し、雑音ノイズが商用電源２１０に漏洩することを防ぐ。
【００３２】
マイクロコンピュータで構成された制御手段２１２は、前面操作部１１０に設けた前面操作キー１１０ａ、上面操作部１１２に設けた上面操作キー１１２ａなどの入力手段から入力した入力情報を受け、表示手段である前面表示部１１０ｂ、上面表示部１１３に表示信号を出力する。
【００３３】
また、制御手段２１２は、前記入力情報に従い、ヒータ制御回路２０８に制御信号を出力して加熱源であるヒータ２０４の通電を制御したり、インバータ回路２０５、２０６、２０７に制御信号を出力して加熱コイル２０１、２０２、２０３に供給する電力を制御したりする。
【００３４】
また、制御手段２１２には、後述する追加加熱手段２２０と評価情報処理手段２２１を備えている。
【００３５】
さらに、制御手段２１２には通信端末１２０と通信を行う通信手段１１４と、機器の使い方や調理の終了等を音楽や音声で使用者に知らせる報知部２１３が接続されている。
【００３６】
入力手段と表示手段を持ち合わせた通信端末１２０には、無線ルータ１３０との無線通信を行う通信手段１２１と、加熱調理器の本体１０１の通信手段１１４と無線通信を行う通信手段１２２と、表示画面上で入力操作を行う操作・表示部１２３と、機器の使い方や調理の終了等を音楽や音声で使用者に知らせる報知部１２４と、アプリケーションソフトウェア等を記憶する記録手段１２５とを備えている。
【００３７】
次に図３〜図５を用いて、実施例の動作について説明する。
【００３８】
図３は本発明の実施例に係る使用者、通信端末、加熱調理器の関係を示すシーケンス図である。図４は本発明の実施例に係る加熱調理器の調理パラメータを変更する動作を示すフローチャートである。図５は本発明の実施例に係る加熱調理の調理パラメータの共有を示すシステム構成図である。
【００３９】
本実施例の通信端末１２０には、サーバ１５０からダウンロードしたアプリケーションソフトウェア（以下アプリと称する）がインストールされている。
【００４０】
図３において、使用者は入力手段である通信端末１２０を操作し、インストールしたアプリを起動（ステップ３０１：アプリを起動させるステップ）する。そして、レシピを検索・閲覧し、通信端末１２０にレシピを表示する（ステップ３０２：レシピを表示させるステップ）。そして、操作と前後して調理物（図示無し）をオーブン加熱手段１０７に入れる。
【００４１】
使用者は通信端末１２０に表示されたレシピを選択することで、通信端末の通信手段１２２と本体１０１の通信手段１１４を介して、調理物を調理するのに必要なレシピ情報（調理手順、火加減、調理時間など）が加熱調理器の本体１０１に送信される（ステップ３０３：レシピ情報を本体１０１に送信するステップ）。
【００４２】
制御手段２１２がレシピ情報を受信すると、レシピ情報に含まれる火加減・調理時間等が設定される（ステップ３０４：レシピ情報を設定するステップ）。火加減等が設定されると、制御手段２１２は通信端末１２０にスタンバイ状態となった情報を送信する（ステップ３０５：スタンバイ状態を通信端末１２０に送信するステップ）。レシピ情報や後述する調理パラメータは、制御手段２１２に含まれるレシピ情報格納手段２２２に格納される。
【００４３】
使用者は、加熱調理器の本体１０１から送信されたスタンバイ状態となった情報を通信端末１２０で確認した後、オーブン加熱手段１０７の調理を開始するスタートボタンを押下する。スタートボタンが押下されると、オーブン加熱手段１０７に通電され調理が開始される（ステップ３０６：調理を開始するステップ）。なお、オーブン加熱手段１０７の調理を開始するスタートボタンは、本体１０１に設けられているボタンでも、アプリによって通信端末１２０に表示されたボタンでもよい。
【００４４】
予定していた調理が終了すると、報知部２１３が音声や音楽で調理が終了した旨を使用者に知らせると共に、オーブン加熱手段１０７の通電を中止することで調理を終了する（ステップ３０７：調理を終了させるステップ）。制御手段２１２は、調理が終了したことを示す情報を通信端末１２０に送信する（ステップ３０８：調理終了を通信端末１２０に送信するステップ）。
【００４５】
通信端末１２０は、報知部１２４が音声や音楽で調理が終了した旨を使用者に知らせると共に、調理終了の状態が表示される（ステップ３０９：調理終了状態を表示するステップ）。なお、本実施例では報知部２１３および報知部１２４で調理が終了した旨のお知らせを報知していたが、一方の報知部のみで報知してもよい。どの報知機にて報知するかはアプリ上で設定可能である。報知部に関しては以下同様である。
【００４６】
これを受けて、使用者はオーブン加熱手段１０７の庫内の調理物の焼き上がりを目視で確認し、加熱が不十分と判断したときは、追加加熱を行うための指示を入力手段より入力する。一方、加熱し過ぎと判断したときは、焼き加減を減らすように入力手段により入力する。入力手段は、例えば本体１０１の上面操作部１１２に設けた上面操作キー１１２ａでも良いし、アプリによって通信端末１２０に表示されるボタンでも良い。この入力された追加加熱の入力情報を基に、追加加熱手段２２０を有した制御手段２１２によって追加加熱が制御される。本体１０１と通信端末１２０のどちら側からでも入力できるようにしても良い。
【００４７】
そして、追加加熱の入力を行った時は、この入力情報に従って、制御手段２１２は調理物の表面に焼き色を付けるような火力で追加加熱を開始する（ステップ３１０：追加加熱を開始するステップ）。
【００４８】
設定した追加の追加加熱が終了すると、報知部１２４が音声や音楽で終了した旨を知らせると共に、オーブン加熱手段１０７の加熱手段への通電を中止し調理を終了する（ステップ３１１：追加加熱を終了させるステップ）。加熱調理器の本体１０１は、追加加熱が終了したことを示す情報を通信端末１２０に送信する（ステップ３１２：追加加熱の終了を通信端末１２０に送信するステップ）。
【００４９】
通信端末１２０には、報知部１２４が音声や音楽で終了した旨を知らせると共に、追加加熱の終了の状態が表示される（ステップ３１３：追加加熱の終了を表示するステップ）。
【００５０】
調理終了後、制御手段２１２の追加加熱手段２２０は追加加熱の入力情報に応じて、レシピ情報格納手段２２２に格納されている今回実施したレシピ情報の調理パラメータ（調理する火力、調理時間）を自動で変更する（ステップ３１４：追加加熱の火力や時間に応じて調理パラメータを変更するステップ）。例えば、加熱が不十分で、追加加熱の度合い（調理時の火力や調理時間）を強く（または長く）設定する程、今回調理したレシピを次回調理する場合に、主に設定火力を強くしたり調理時間を長くしたりする。また、加熱し過ぎと判断して焼き加減を減らす設定をされた時は、次回調理時には主に設定火力を弱くしたり調理時間を短くしたりする。
【００５１】
また、各使用者の調理パラメータの変更情報をサーバ１５０などに集計し、集計した変更情報に基づいて各レシピ情報の調理パラメータの初期値を変更してもよい。例えば、秋刀魚を焼くレシピにおいて、多くの使用者が追加加熱の度合いを強くしているという情報が集計された時は、秋刀魚を焼くレシピの調理パラメータの初期値の設定火力を強くしたり調理時間を長くしたりするように変更する。これにより、各使用者の使用状況データを活用して、加熱調理器の性能に合わせた調理パラメータや、各使用者の嗜好の総意に合わせた調理パラメータに修正することができ、より適切に被加熱物を加熱することができる。なお、各使用者の変更情報の集計結果をもとに変更された調理パラメータは、初期値とは別に格納し、調理をする際に使用者が選択できるようにしてもよい。
【００５２】
本実施例では通信端末１２０で選択したレシピに基づいて加熱調理器１００を制御しているため、追加加熱手段２２０は選択されたレシピのレシピ情報に含まれる火力情報や調理時間情報などを変更する。しかし、例えば秋刀魚を焼くレシピが選択された場合において魚を焼く工程の設定火力を強くするような設定が追加加熱によってされた場合は、魚を焼くという工程においては設定火力を強くするという情報をレシピ情報格納手段２２２に格納し、魚を焼く他のレシピが選択された場合に、レシピ情報に含まれる設定火力を自動的に強くしても良い。また、例えば秋刀魚を焼くレシピと鯖を焼くレシピといった魚を焼く工程が含まれているという点で共通するレシピにおいて、両方のレシピで設定火力を強くするような設定をされた場合は、魚を焼くという工程においてはどのようなレシピであっても設定火力を強くするという設定をレシピ情報格納手段２２２に格納してもよい。また、これらの情報はレシピ情報格納手段２２２に格納せず、サーバ１５０に格納してもよい。
【００５３】
なお、図４に示すように、使用者が料理の仕上がりを確認し、加熱が十分と判断した場合、追加加熱の設定は行わず、調理パラメータも変更しない。
【００５４】
次に、使用者が調理物を食して調理の評価を入力する場合は、通信端末１２０に表示された評価を入力するボタンを押下すると、通信端末１２０には今調理した調理メニューの評価を送信するための画面が表示される（ステップ３１５：評価画面を表示するステップ）。
【００５５】
使用者は、調理物の仕上がりについての評価を通信端末１２０に入力する。入力を受け付けると、評価情報を加熱調理器の本体１０１に送信する（ステップ３１６：評価情報を送信するステップ）。
【００５６】
制御手段２１２は評価情報を受信すると、評価情報処理手段２２１によって評価情報に応じて調理メニューの調理パラメータを変更する（ステップ３１７：仕上がりの評価に応じて調理パラメータを変更するステップ）。この評価によって変更する調理パラメータは、調理物の表面の焼き加減に影響が出ないように変更するもので、例えば、食して焼きが足りないという評価の場合は、次回の調理時には設定火力を弱くして調理時間を長くして調理中の加熱量を大きくして調理物の中まで火を通すように調整する。また、焼きすぎという評価であった場合は、次回の調理時には設定火力を強くして調理時間を短くして調理中の加熱量を小さくするものである。
【００５７】
本実施例によれば、調理物を見た目による表面の焼き加減は追加焼きで調整し、追加加熱が必要な場合は追加加熱を実行し次回の調理に反映すべく調理パラメータを自動で変更する。また、調理物を食した後に調理物の中の加熱状況を評価することで調理パラメータを変更して次回の調理に反映することで、使用者の満足の行く仕上がりの調理を行うことができるようになる。また調理の回数を多く行い、評価回数が多くなるにつれて、使用者の満足の行く仕上がりの調理を行うことができるようになる。
【００５８】
また、調理物の温度を検出できる温度検出手段、調理物の重さを量ることができる重量検出手段を設ける事で、調理時の調理物の初期温度、初期温度からの温度変化、調理物の重さを検出し、各々の調理物の状況と、その時の調理を行った後の追加加熱の入力情報と評価の評価情報とを関連付けして調理パラメータを管理することで、調理物の初期状態（温度と重さ）の違いに関係なく、適切にレシピ情報を変更し、使用者の満足の行く仕上がりの調理を行うことができるようになる。本実施例では調理パラメータを変更する際に考慮する情報として追加焼き情報や評価情報を用いている。しかし、被調理物の商品名の情報といった商品情報も調理パラメータを変更する際に用いてもよい。例えばパスタにおいては、商品によって茹でる時間が変わることから、同一のレシピであっても茹で時間は異なる。ここで、通信端末１２０に入力されたパスタの商品名を本体１０１に送信し、制御手段２１２にてパスタの商品名から抽出された素材情報に基づいて、調理パラメータを変更してもよい。
【００５９】
本実施例では、調理パラメータの変更及び保管を加熱調理器の本体１０１に備える制御手段２１２にて実施するとして説明したが、通信端末１２０や、サーバ１５０で実施しても良い。つまり、追加加熱手段２２０、評価情報処理手段２２１およびレシピ情報格納手段２２２はそれぞれ、制御手段２１２に含まれていてもよいし、通信端末１２０やサーバ１５０に含まれていてもよい。
【００６０】
また、本実施例では通信端末１２０を用いた説明を行ったが、加熱調理器の本体１０１に、追加加熱を指示するボタンと評価入力手段を設けても良い。
【００６１】
また、図３に示すシーケンス図に示す通り、通信端末１２０には追加焼きボタンによって追加焼き終了表示３１３が表示され、評価入力ボタンによって評価画面表示３１５が表示される。しかし、例えば追加焼きボタンは押下せずに調理を進めて評価入力ボタンを押下した場合は、通信端末１２０には調理終了表示３０９の次に評価画面表示３１５が表示され、追加焼き終了表示３１３は表示されない。このように、図３に示すシーケンス図に記載されていること全てが通信端末１２０に表示されたり加熱調理器によって実施されるわけではなく、使用者の選択次第では通信端末１２０に表示されない画面があり、加熱調理器によって実施されない動作がある。
【００６２】
また、図３のフローチャートでは、調理を終了させるステップ（ステップ３０７）のあとに追加加熱を開始し、その後調理パラメータを変更している（ステップ３１４）が、追加加熱は調理終了後の加熱に限られない。つまり、調理開始（ステップ３０７）から調理終了（ステップ３０６）の間に使用者はオーブン加熱手段１０７の庫内の調理物の焼き上がりを目視で確認し、加熱調理の残り時間を長くしたり短くしたり、火力を強くしたり弱くしたりする場合がある。この場合は、調理開始から調理終了の間までに入力された追加加熱の情報も含めて、調理パラメータを変更する。
【００６３】
また、本実施例ではオーブン加熱手段１０７を用いた調理について説明したが、これに限られない。例えば加熱コイル２０３を用いた調理であっても、本発明を適用可能である。
【００６４】
図５は、本発明の実施例に係る加熱調理の調理パラメータの共有を示すシステム構成図である。各メニューの調理パラメータやレシピ情報をサーバ１５０で管理し、この調理パラメータを複数の使用者間で共有しても良い。
【００６５】
一例を説明すると、情報通信端末１２０Ａを有するＡさんがあるメニューを調理し、無線ルータ１３０Ａを経由して調理パラメータ、追加加熱の入力情報と評価の評価情報がサーバ１５０に保有されているとする。Ａさんの入力情報と評価情報（実際の調理した調理物の写真でも良い）はレシピに関連付けられてネット上で紹介されており、他の人であるＢさんがレシピの紹介情報を気に入れば、このメニューの調理パラメータをサーバ１５０からダウンロードして加熱調理器の本体１０１にある制御手段２１２に送ることで、他人の満足度の高い状態の調理を簡単に再現できるものである。また、他人が紹介してくれる新しく開発したメニューも簡単に再現できるようになる。
【００６６】
以上説明したように本発明によれば、通信端末と送受信を行う加熱調理器の使い勝手を向上させた加熱調理システムを提供することができる。
【符号の説明】
【００６７】
１０１  本体
１０７  オーブン加熱手段
１１０  前面操作部
１１０ａ  前面操作キー
１１０ｂ  前面表示部
１１１  電源切／入スイッチ
１１２  上面操作部
１１２ａ  上面操作キー
１１３  上面表示部
１１４  通信手段
１１５  システムキッチン
１２０  通信端末
１２１  通信手段
１２２  通信手段
１２３  操作・表示部
１２３ａ  レシピ送信
１２４  報知部
１２５  記憶手段
１３０  無線ルータ
１４０  ネットワーク
１５０  サーバ
２０４  ヒータ
２０８  ヒータ制御回路
２１０  商用電源
２１１  フィルタ手段
２１２  制御手段
２１３  報知部
２２０  追加加熱手段
２２１  評価情報処理手段
２２２  レシピ情報格納手段
【図１】
2019219105.tif 000003
【図２】
2019219105.tif 000004
【図３】
2019219105.tif 000005
【図４】
2019219105.tif 000006
【図５】
2019219105.tif 000007